(57)【要約】【課題】  デルタ配列の画素配列を持つ表示素子を備えた画像表示装置において、ＯＳＤ（Ｏｎ  Ｓｃｒｅｅｎ  Ｄｉｓｐｌａｙ）に用いる文字や記号の太さやデザイン、バックの色等を変更せずに、従来のままで偽色を防止できる画像表示装置を提供する。【解決手段】  奇数フィールドと偶数フィールドで、ＯＳＤのみ１水平行あるいは１画素ずらして画像に重畳して表示する。【選択図】        図１
2006258882.tif 000002
【特許請求の範囲】
【請求項１】
デルタ配列の画素配列を持つ表示素子を備えた画像表示装置において、
文字情報を、奇数フィールドと偶数フィールドで異なるタイミングで画像に重畳して前記表示素子に表示する表示制御手段を備えたことを特徴とする画像表示装置。
【請求項２】
前記表示制御手段は、奇数フィールドと偶数フィールドとで、前記文字情報のみを垂直方向に１水平行ずらせて画像に重畳することを特徴とする請求項１に記載の画像表示装置。
【請求項３】
前記表示制御手段は、奇数フィールドと偶数フィールドとで、前記文字情報のみを水平方向に１画素ずらせて画像に重畳することを特徴とする請求項１に記載の画像表示装置。
【請求項４】
デルタ配列の画素配列を持つ表示素子を備えた画像表示装置において、
文字情報を入力する文字情報入力手段と、
画像を入力する画像入力手段と、
前記文字情報入力手段で入力された文字情報を、奇数フィールドと偶数フィールドで異なるタイミングで、前記画像入力手段で入力された画像に重畳して前記表示素子に表示する表示制御手段とを備えたことを特徴とする画像表示装置。
【請求項５】
被写体像を撮像する撮像部を備えた携帯型撮像装置において、
請求項１乃至４の何れか１項に記載の画像表示装置を備えたことを特徴とする携帯型撮像装置。
【発明の詳細な説明】
【技術分野】
【０００１】
本発明は、画像表示装置および携帯型撮像装置に関し、特に文字、記号、符号等の非画像情報も表示できる画像表示装置および携帯型撮像装置に関するものである。
【背景技術】
【０００２】
デジタルカメラやビデオカメラ等、主として画像を撮像し表示する携帯型撮像装置に表示素子として用いられているカラー液晶パネルは、偶数行と奇数行で同色の画素が１．５画素ずれたデルタ配列と呼ばれる画素配列のものが用いられることが多い。図９に、デルタ配列の画素配列（図９（ａ））と、通常の液晶テレビやＰＣモニタに用いられているストライプ配列（図９（ｂ））、モザイク配列（図９（ｃ））の画素配列の模式図を示す。図中のＲ、Ｇ、Ｂは、それぞれ赤色を表示する画素、緑色を表示する画素、青色を表示する画素の意味である。
【０００３】
一般に、携帯型撮像装置は、その携帯性から小型軽量化が必須であり、そのため搭載できる画像表示装置も大きさに制約がある。そのため、小型で画質の高い画像表示装置が必要である。
【０００４】
デルタ配列の液晶は、ストライプ配列やモザイク配列の液晶に比べて、少ない画素数で見た目の解像度が高く、固定した色パターンが見えない滑らかな画質が得られるという利点がある（例えば、非特許文献１参照）。反面、画素が斜めにずれて配置されているため、縦横の細かい直線の色再現性に弱いという欠点も持ち合わせている。このため、デルタ配列の液晶に日付や撮影コマ数といったデータ等の文字、記号、符号等のいわゆるＯＳＤ（Ｏｎ  Ｓｃｒｅｅｎ  Ｄｉｓｐｌａｙ）を表示すると、ＯＳＤの周辺に赤や緑の偽の色付き（偽色）が発生する。偽色は、特に細線や直線の周囲に顕著となる。
【０００５】
例えば、図１０（ａ）のように白い背景の中に黒い文字を表示する場合を例に取ると、背景部分は全体として見るとＲとＧとＢの各色の画素が均等に点灯されているために白色に見えるが、例えば局所的に図１０（ａ）の破線で囲まれた三角形９０１を考えた場合、それらのＲ成分９０１Ｒ、Ｇ成分９０１Ｇ、Ｂ成分９０１ＢのうちＲ画素９０１Ｒのみが点灯したままの状態になっており、白い背景の中に書かれた黒い細線の「Ａ」の縁に赤の偽色が付くことになる。
【０００６】
これを防止するために、従来は、例えば図１０（ｂ）に示したようにＯＳＤに用いられる文字や記号の線の太さを画素ピッチに比べて十分に大きくするとか、ＯＳＤに用いられる文字や記号のデザインを直線を用いないものに変更するとか、ＯＳＤ表示部のバックにグレーバック等の中間色を入れる等で偽色を目立たなくする方法が用いられてきた。
【０００７】
しかしながら、文字や記号の線の太さを大きくすることができるのはカナや簡単な記号等に限られるため汎用性に乏しく、またデザイン的に品位に欠けるものになり、白抜き文字が使えない等制約が多い。また、デザインを直線を用いないものに変更するのも汎用性に乏しく表示の品位に欠けるものとなる。又、ＯＳＤのバックにグレーバック等の中間色を入れると、本来その部分にある画像が見えなくなるという大きな問題が生じる。
【０００８】
また、デルタ配列の液晶ではないが、デジタル放送をインターレース表示する時のＯＳＤ表示の折り返しノイズによる画質劣化を防ぐ方法として、インターレース信号をプログレッシブ信号へ変換し、画像の拡大、縮小、ＯＳＤ合成等を行ってから、プログレッシブ信号から再度インターレース信号に変換して表示を行い、その際にフィルタ処理を行うことでＯＳＤのフリッカを低減する方法（例えば、特許文献１参照）や、通常のインターレース信号のフィールドレートの奇数倍のフィールドレートを持つ同期信号を発生させ、その同期信号に同期してＯＳＤ信号を発生させて、映像信号とＯＳＤ信号を合成する方法（例えば、特許文献２参照）が提案されている。
【０００９】
しかしながら、特許文献１および２で提案された方法は、いずれも、非常に複雑な信号処理を行う必要があったり、高速クロックを要するものであったりするため、非力な処理回路しか持たない携帯型撮像装置への適用は不可能なものである。また、デルタ配列の液晶に簡単に適用できる方法でもない。さらに、コスト的にも非常に高価になるため、携帯型撮像装置への適用は現実的でない。
【非特許文献１】ソニー社「ＡＣＸ３０６ＢＫ  ３．８６ｃｍ（１．５型）ＮＴＳＣカラー液晶パネル」データシート（http://www.sony.co.jp/~semicon/japanese/img/sonyj01/e6801437.pdf）概要。２００５年２月１４日検索。
【特許文献１】特開２００４−３２０３０５号公報
【特許文献２】特開２０００−３２４４１９号公報
【発明の開示】
【発明が解決しようとする課題】
【００１０】
本発明は、上記事情に鑑みてなされたもので、デルタ配列の画素配列を持つ表示素子を備えた画像表示装置において、ＯＳＤに用いる文字や記号の太さやデザイン、バックの色等を変更せずに、従来のままで偽色を防止できる画像表示装置を提供することを目的とする。
【課題を解決するための手段】
【００１１】
本発明の目的は、下記構成により達成することができる。
【００１２】
（請求項１）
デルタ配列の画素配列を持つ表示素子を備えた画像表示装置において、
文字情報を、奇数フィールドと偶数フィールドで異なるタイミングで画像に重畳して前記表示素子に表示する表示制御手段を備えたことを特徴とする画像表示装置。
【００１３】
（請求項２）
前記表示制御手段は、奇数フィールドと偶数フィールドとで、前記文字情報のみを垂直方向に１水平行ずらせて画像に重畳することを特徴とする請求項１に記載の画像表示装置。
【００１４】
（請求項３）
前記表示制御手段は、奇数フィールドと偶数フィールドとで、前記文字情報のみを水平方向に１画素ずらせて画像に重畳することを特徴とする請求項１に記載の画像表示装置。
【００１５】
（請求項４）
デルタ配列の画素配列を持つ表示素子を備えた画像表示装置において、
文字情報を入力する文字情報入力手段と、
画像を入力する画像入力手段と、
前記文字情報入力手段で入力された文字情報を、奇数フィールドと偶数フィールドで異なるタイミングで、前記画像入力手段で入力された画像に重畳して前記表示素子に表示する表示制御手段とを備えたことを特徴とする画像表示装置。
【００１６】
（請求項５）
被写体像を撮像する撮像部を備えた携帯型撮像装置において、
請求項１乃至４の何れか１項に記載の画像表示装置を備えたことを特徴とする携帯型撮像装置。
【発明の効果】
【００１７】
請求項１に記載の発明によれば、デルタ配列の画素配列を持つ表示素子に、文字情報を奇数フィールドと偶数フィールドで異なるタイミングで画像に重畳して表示することで、ＯＳＤに用いる文字や記号の太さやデザイン、バックの色等を変更せずに、従来のままで偽色を防止できるＯＳＤを提供することができる。
【００１８】
請求項２に記載の発明によれば、デルタ配列の画素配列を持つ表示素子に、非画像情報を奇数フィールドと偶数フィールドで垂直方向に１水平行ずらせて画像に重畳して表示することで、ＯＳＤに用いる文字や記号の太さやデザイン、バックの色等を変更せずに、従来のままで偽色を防止できるＯＳＤを提供することができる。
【００１９】
請求項３に記載の発明によれば、デルタ配列の画素配列を持つ表示素子に、非画像情報を奇数フィールドと偶数フィールドで水平方向に１画素ずらせて画像に重畳して表示することで、ＯＳＤに用いる文字や記号の太さやデザイン、バックの色等を変更せずに、従来のままで偽色を防止できるＯＳＤを提供することができる。
【００２０】
請求項４に記載の発明によれば、デルタ配列の画素配列を持つ表示素子に、文字情報入力手段から入力された文字情報を奇数フィールドと偶数フィールドで異なるタイミングで画像入力手段から入力された画像に重畳して表示することで、ＯＳＤに用いる文字や記号の太さやデザイン、バックの色等を変更せずに、従来のままで偽色を防止できるＯＳＤを提供することができる。
【００２１】
請求項５に記載の発明によれば、請求項１乃至４の何れか１項に記載の画像表示装置を携帯型撮像装置に搭載することで、解像度の高い高品位の画像と、偽色の少ない高品位のＯＳＤの両方を兼ね備えた、高品位の表示部を備えた携帯型撮像装置を提供することができる。
【発明を実施するための最良の形態】
【００２２】
以下、図面に基づき本発明の実施の形態を説明する。
【００２３】
図１は、本発明に係る画像表示装置を搭載した携帯型撮像装置として機能するデジタルカメラ１の外観模式図であり、図１（ａ）は正面外観模式図、図１（ｂ）は背面外観模式図である。
【００２４】
デジタルカメラ１の正面には、レンズ２０１が設けられている。
【００２５】
デジタルカメラ１の上面には、レリーズボタン１１０が設けられている。また、レリーズボタン１１０の下部でデジタルカメラ１の内部には、ＡＦスイッチＳＷ１とレリーズスイッチＳＷ２の２段スイッチが設けられており、各々レリーズボタン１１０の押し下げの第１段目と第２段目で動作するように成されている。
【００２６】
また、デジタルカメラ１の上面には、カメラの動作モードを設定するモード設定ダイアル１１２が設けられている。カメラの動作モードには、静止画を撮像する「カメラモード」、動画を撮像する「動画モード」、音声を記録する「ボイスレコーダモード」、画像や音声を再生する「再生モード」等がある。さらに、デジタルカメラ１の上面には、ポップアップ式のフラッシュ１６７が設けられている。
【００２７】
デジタルカメラ１の背面には、液晶等から成る背面モニタ１３１、電子ビューファインダ（ＥＶＦ）１２１の接眼部１２１ａ、接眼部１２１ａの近傍に配置され、撮影者が接眼部１２１ａを覗き込んだことを検知する接眼検知部１２１ｃが設けられている。接眼検知部１２１ｃは、例えば投光部から赤外線等の不可視光を投光し、基線長離れた受光部に設置された受光素子で、投光された赤外線光の撮影者の顔から反射してくる反射光を受光することで、撮影者が接眼部１２１ａを覗き込んだことを検知するように成されたものである。
【００２８】
また、デジタルカメラ１の背面には、カメラの電源スイッチであるメインスイッチ１１１、上下左右の４方向にスイッチを持ち、カメラ動作の各設定等を行う際に用いられるジョグダイアル１１３と、ジョグダイアル１１３の中央に置かれ、ジョグダイアル１１３等での設定を決定する決定スイッチ１１４、背面モニタ１３１のオン／オフを設定する背面モニタ設定スイッチ１１５、撮像光学系のズームを行うズームスイッチ１１６等の各操作手段が配置される。
【００２９】
図２は、本発明に係る画像表示装置として機能するデジタルカメラ１の回路ブロック図である。図中、図１と同じ部分には同じ番号を付与した。
【００３０】
デジタルカメラ１の制御部であるカメラ制御部１００は、図示しないＣＰＵ（中央処理装置）、ワークメモリ等から構成され、記憶部１０１に記憶されているプログラムをワークメモリに読み出し、当該プログラムに従ってデジタルカメラ１の各部を集中制御する。
【００３１】
また、カメラ制御部１００は、メインスイッチ１１１、モード設定ダイアル１１２、ジョグダイアル１１３、決定スイッチ１１４、背面モニタ設定スイッチ１１５、ズームスイッチ１１６、ＡＦスイッチＳＷ１、レリーズスイッチＳＷ２、接眼検知部１２１ｃ等からの入力を受けてデジタルカメラ１全体を制御し、電源部１２０を制御することでカメラ各部に電源を供給し、ＵＳＢ（Ｕｎｉｖｅｒｓａｌ  Ｓｅｒｉａｌ  Ｂｕｓ）等の外部インターフェース（Ｉ／Ｆ）１２５を介して図示しないパーソナルコンピュータやプリンタと画像データの転送等の交信を行う。
【００３２】
また、カメラ制御部１００は、撮像素子制御部１５２を介して撮像素子１５３の撮像動作を制御するとともに、画処理部１５１を介して撮像素子１５３で撮像された画像を処理して、記録部１５４を介して画像メモリ１５５に一旦記録し、最終的にはメモリカード１５６に記録する。画処理部１５１、撮像素子制御部１５２、撮像素子１５３を合わせて撮像部１５０と呼ぶ。また、撮像部１５０の画像出力から得られるピント情報と露出情報に基いて、光学系駆動部２１２を介して撮像光学系２１１のＡＦ動作を制御し、絞り駆動部２２２を介して絞り２２１を制御する。
【００３３】
また、カメラ制御部１００は、撮像素子１５３によって撮像され画処理部１５１で処理された画像をライブビュー画像として、背面モニタ設定スイッチ１１７の設定に従って、画像生成部１３４と表示制御部１３２を介して、電子ビューファインダ（ＥＶＦ）１２１または背面モニタ１３１あるいはその両方に表示し、画像メモリ１５５に記録された画像をアフタービュー画像として、画像生成部１３４と表示制御部１３２を介して、背面モニタ１３１に表示し、メモリカード１５６に記録された画像を再生画像として、画像生成部１３４と表示制御部１３２を介して、背面モニタ１３１に表示する。すなわち、電子ビューファインダ（ＥＶＦ）１２１および背面モニタ１３１が本発明に係る画像表示装置として機能し、カメラ制御部１００および表示制御部１３２が本発明に係る表示制御手段として機能するものである。また、本実施の形態においては、背面モニタ１３１およびＥＶＦ１２は、デルタ配列の液晶表示素子で構成されている。
【００３４】
また、カメラ制御部１００は、カメラ各部および各操作手段の設定状態に応じて、記憶部１０１に予め記憶されているＯＳＤ情報を用いて、ＯＳＤ生成部１３３を介して表示制御部１３２にＯＳＤ信号を送信し、表示制御部１３２は、ＯＳＤ生成部１３３からのＯＳＤ信号と画像生成部１３４からの画像を合わせて、ＥＶＦ１２１、あるいは背面モニタ１３１の何れか一つあるいは両方に表示する。ここで、ＯＳＤ情報は本発明に係る文字情報を示すものであり、公知のキャラクタコードに対応する文字、記号、符号等に加えて、絵記号、絵文字等のアイコン、円形や矩形の線画を示す情報も文字情報に含まれるものである。
【００３５】
さらに、カメラ制御部１００は、撮像素子１５３によって撮像され画処理部１５１で処理されたライブビュー画像や、画像メモリ１５５に記録されたアフタービュー画像、およびメモリカード１５６に記録された再生画像を、画像生成部１３４、表示制御部１３２を介して例えば、全米テレビ放送規格委員会（Ｎａｔｉｏｎａｌ  Ｔｅｌｅｖｉｓｉｏｎ  Ｓｔａｎｄａｒｄ  Ｃｏｍｍｉｔｔｅｅ；ＮＴＳＣ）規格に準拠したＮＴＳＣ信号としてＮＴＳＣ出力部１３５に出力し、外部に接続されるテレビ等に表示する。
【００３６】
上述したライブビュー画像、アフタービュー画像、再生画像は、通常のテレビ等の表示に用いられるＮＴＳＣ表示、つまりＮＴＳＣ出力部１３５に出力される信号に準拠する形でインターレース表示される。すなわち、奇数フィールドと偶数フィールドに分けて１／６０秒毎に飛び越し走査で表示されるのが一般的である。
【００３７】
しかしながら、ＥＶＦ１２１や背面モニタ１３１に用いられる液晶は、垂直方向の画素数がＮＴＳＣ規格の５１２行に対して半数程度の２４０行程度のため、本来のインターレース表示ではなく、ＮＴＳＣ信号の奇数フィールドの内の例えば１行目から４７９行目までを２４０行全てで表示し、偶数フィールドも同じく例えば２行目から４８０行目までを２４０行全てで表示する、つまり、見かけ上６０フレーム／秒の表示を行うことが一般的である。この関係を図３と図４に示す。
【００３８】
図３（ａ）は、ＮＴＳＣ規格の画面表示を示す模式図である。奇数フィールドＯＦでは、１行目Ｌ１に画像データの１行目の画像（ＯＬ１）、３行目Ｌ３に画像データの３行目の画像（ＯＬ３）といった具合に１行ごとの飛び越し走査で画像が表示され、最終行の５１１行目は画面の水平方向の中央で終了する。偶数フィールドＥＦでは、同じく２行目Ｌ２に画像データの２行目の画像（ＥＬ２）、４行目Ｌ４に画像データの４行目の画像（ＥＬ４）といった具合に最終行の５１０行目まで奇数フィールドの間を埋める形で画像が表示される。最初の０行目は、画面の水平方向の中央から表示が始まる。
【００３９】
図３（ｂ）は、上述の動作を示すタイミングチャートである。１フレームＦＬの間に、１行目Ｌ１、３行目Ｌ３等の奇数番目の行には奇数フィールドＯＦのみに画像データが送られ、２行目Ｌ２、４行目Ｌ４等の偶数番目の行には偶数フィールドＥＦのみに画像データが送られている。
【００４０】
一方、図４（ａ）は、本発明に係る画面表示を示す模式図である。奇数フィールドＯＦでは、１行目Ｌ１に画像データの１行目の画像（ＯＬ１）、２行目Ｌ２に画像データの３行目の画像（ＯＬ３）といった具合に飛び越し走査を行わずに画像が表示され、２４０行目Ｌ２４０に画像データの４７９行目の画像（ＯＬ４７９）が表示される。本例では、４８１行目から５１１行目までは無視される。偶数フィールドＥＦでは、１行目Ｌ１に画像データの２行目の画像（ＥＬ２）、２行目Ｌ２に画像データの４行目の画像（ＥＬ４）といった具合に飛び越し走査を行わずに画像が表示され、２４０行目Ｌ２４０に画像データの４８０行目の画像（ＥＬ４８０）が表示される。本例では、０行目と４８２行目から５１０行目までは無視される。
【００４１】
図４（ｂ）は、上述の動作を示すタイミングチャートである。１フレームの間に、１行目Ｌ１から２４０行目Ｌ２４０の各行に、奇数フィールドＯＦと偶数フィールドＥＦの両方で画像データが送られている。
【００４２】
つまり、ＮＴＳＣ規格の画面表示では、画面の各行は１フレーム（＝１／３０秒間）に１度画像の表示が行われているのに対して、本発明に係る画面表示では１フィールド（＝１／６０秒間）に１度画像の表示が行われている。
【００４３】
次に、本発明のＯＳＤ表示の第１の実施の形態について、図５と図６を用いて説明する。図５は、本発明のＯＳＤ表示の第１の実施の形態に係る模式図で、図５（ａ）は奇数フィールドの、図５（ｂ）は偶数フィールドの表示模式図である。図６（ａ）は、図５の各ＯＳＤ表示を実現するための表示制御部１３２の内部構成を示す回路ブロック図で、図６（ｂ）は、図５の各ＯＳＤ表示を実現するための表示制御部１３２を構成する各部のタイミングチャートである。
【００４４】
図５（ａ）では、上から２行目の左から５画素目のＢの画素５０１Ｂを頂点に「Ａ」の文字が作られている。図５（ｂ）では、上から３行目の左から５画素目のＧの画素５１１Ｇを頂点に「Ａ」の文字が作られている。つまり、図５（ａ）と（ｂ）では、図５（ｂ）に矢印で示したように、ＯＳＤが垂直方向に１水平行、水平方向に０．５画素ずれていることになる。この２枚のＯＳＤを１／６０秒毎に交互に画像に重ねて表示すると、目の残像効果でＯＳＤの線の周辺が若干ぼやけたようになるとともに、発生する偽色が２枚のＯＳＤで異なるために、偽色が目立たなくなる。
【００４５】
この２枚のＯＳＤは、図６に示したようにして生成される。まず、奇数フィールド５０では、スイッチ１３２ｃがスルー側１３２ｃＴに切り換えられており（ｔ１）、ＯＳＤ生成部１３３で生成されたＯＳＤ信号１３３ａはそのままＯＳＤ信号１３２ｄとして画像合成部１３２ａに入力され（ｔ２）、画像合成部１３２ａにおいて画像生成部１３４で生成された画像信号１３４ａと合成されて画像出力１３２ｆとして出力される（ｔ３）。これが、図５（ａ）のＯＳＤである。
【００４６】
奇数フィールド５０の画像の合成が完了すると（ｔ４）、偶数フィールド５１では、スイッチ１３２ｃは１Ｈディレイ側１３２ｃＤに切り換えられ、ＯＳＤ生成部１３３で生成されたＯＳＤ信号１３３ａは、ＣＣＤ等の遅延素子からなる１Ｈディレイ１３２ｂに入力されて１行分遅延されたＯＳＤ信号１３２ｄとして画像合成部１３２ａに入力され（ｔ５）、画像合成部１３２ａにおいて画像生成部１３４で生成された画像信号１３４ａと合成されて画像出力１３２ｆとして出力される（ｔ６）。これが、図５（ｂ）のＯＳＤである。１水平行分ディレイされたＯＳＤが１フィールド期間をはみ出す場合は、はみ出したＯＳＤは無視される。
【００４７】
次に、本発明のＯＳＤ表示の第２の実施の形態について、図７と図８を用いて説明する。図７は、本発明のＯＳＤ表示の第２の実施の形態に係る模式図で、図７（ａ）は奇数フィールドの、図７（ｂ）は偶数フィールドの表示模式図である。図８（ａ）は、図７の各ＯＳＤ表示を実現するための表示制御部１３２の内部構成を示す回路ブロック図であり、図８（ｂ）は、図７の各ＯＳＤ表示を実現するための表示制御部１３２を構成する各部のタイミングチャート、図８（ｃ）は、図８（ｂ）の偶数フィールドで画像にＯＳＤを重畳する部分の拡大図である。
【００４８】
図７（ａ）では、上から２行目の左から５画素目のＢの画素７０１Ｂを頂点に「Ａ」の文字が作られている。図７（ｂ）では、上から２行目の左から６画素目のＲの画素７１１Ｒを頂点に「Ａ」の文字が作られている。つまり、図７（ａ）と（ｂ）では、図７（ｂ）に矢印で示したように、ＯＳＤが水平方向に１画素ずれていることになる。この２枚のＯＳＤを１／６０秒毎に交互に画像に重ねて表示すると、目の残像効果でＯＳＤの線の周辺が若干ぼやけたようになるとともに、発生する偽色が２枚のＯＳＤで異なるために、偽色が目立たなくなる。
【００４９】
この２枚のＯＳＤは、図８に示したようにして生成される。まず、奇数フィールド７０では、スイッチ１３２ｃがスルー側１３２ｃＴに切り換えられており（ｔ１１）、ＯＳＤ生成部１３３で生成されたＯＳＤ信号１３３ａはそのままＯＳＤ信号１３２ｄとして画像合成部１３２ａに入力され（ｔ１２）、画像合成部１３２ａにおいて画像生成部１３４で生成された画像信号１３４ａと合成されて画像出力１３２ｆとして出力される（ｔ１３）。これが、図７（ａ）のＯＳＤである。
【００５０】
奇数フィールド７０の画像の合成が完了すると（ｔ１４）、偶数フィールド７１では、スイッチ１３２ｃは１Ｈディレイ側１３２ｃＤに切り換えられ、ＯＳＤ生成部１３３で生成されたＯＳＤ信号１３３ａは、ＣＣＤ等の遅延素子からなる１画素ディレイ１３２ｅに入力されて各水平行毎に１画素分遅延遅延されたＯＳＤ信号１３２ｄとして画像合成部１３２ａに入力され（ｔ１５）、画像合成部１３２ａにおいて画像生成部１３４で生成された画像信号１３４ａと合成されて画像出力１３２ｆとして出力される（ｔ１６）。これが、図７（ｂ）のＯＳＤである。１画素分ディレイされたＯＳＤが１Ｈ期間をはみ出す場合は、はみ出したＯＳＤは無視される。
【００５１】
以上に述べたように、本実施の形態によれば、デルタ配列の液晶表示素子からなる画像表示装置に、非画像情報であるＯＳＤ情報を表示する際に、画像表示の奇数フィールドではＯＳＤ情報をそのまま画像に重畳し、偶数フィールドではＯＳＤ情報のみを垂直方向または水平方向にずらせて画像に重畳することで、ＯＳＤの周囲に発生する偽色を低減することができ、表示品位を向上させることができる。
【００５２】
もちろん、奇数フィールドと偶数フィールドでＯＳＤの位置がずれて表示されているわけであるから、詳細に観察すればＯＳＤが微妙に揺らいでいることが分かる。しかしながら、その程度は非常に少なく、例えば拡大鏡等で詳細に観察しなければ分からない程度である。一方、偽色の低減効果は非常に大きい。従って、本発明の意義は非常に大きいものである。
【００５３】
ちなみに、ＯＳＤだけでなく、ＯＳＤを含む画像全体を奇数フィールドと偶数フィールドで垂直方向に１行あるいは水平方向に１画素ずらすことも考えられ、画像処理的にはこの方がはるかに簡単であるが、この場合は画像表示の切れ目（上下左右の最周辺部等）が点灯と消灯を繰り返すこととなり、その部分がちらついて見えるのであまり好ましくない。もちろん、これを画像処理で対策することも可能であるが、非常に難易度が高い。従って、本発明のように、奇数フィールドと偶数フィールドで画像は同じものを表示し、ＯＳＤのみずらして表示するのが最適である。
【００５４】
その他、本発明に係る撮像装置を構成する各構成の細部構成および細部動作に関しても、本発明の趣旨を逸脱することのない範囲で適宜変更可能である。
【図面の簡単な説明】
【００５５】
【図１】本発明に係る画像表示装置として機能するデジタルカメラの外観模式図である。
【図２】本発明に係る画像表示装置として機能するデジタルカメラの回路ブロック図である。
【図３】ＮＴＳＣ規格の画面表示を示す模式図（図３（ａ））とタイミングチャート（図３（ｂ））である。
【図４】本発明に係る画像表示装置の画面表示を示す模式図（図４（ａ））とタイミングチャート（図４（ｂ））である。
【図５】本発明のＯＳＤ表示の第１の実施の形態に係る模式図で、図５（ａ）は偶数フィールドの、図５（ｂ）は奇数フィールドの表示模式図である。
【図６】図５の各ＯＳＤ表示を実現するための回路ブロック図（図６（ａ））と、図５の各ＯＳＤ表示を実現するためのタイミングチャート（図６（ｂ））である。
【図７】本発明のＯＳＤ表示の第２の実施の形態に係る模式図で、図７（ａ）は奇数フィールドの、図７（ｂ）は偶数フィールドの表示模式図である。
【図８】図７の各ＯＳＤ表示を実現するための回路ブロック図（図８（ａ））と、図７の各ＯＳＤ表示を実現するためのタイミングチャート（図８（ｂ））、および図８（ｂ）の偶数フィールドでＯＳＤを重畳する部分の拡大図（図８（ｃ））である。
【図９】従来例に係る表示素子の画素配列の模式図で、図９（ａ）はデルタ配列の画素配列であり、図９（ｂ）は縦ストライプ配列、図９（ｃ）はモザイク配列の画素配列の模式図である。
【図１０】従来例に係る画像表示装置のＯＳＤ表示模式図で、図１０（ａ）は通常のＯＳＤ表示を、図１０（ｂ）は文字を太くした場合のＯＳＤ表示を示す模式図である。
【符号の説明】
【００５６】
１  デジタルカメラ
１００  カメラ制御部
１０１  記憶部
１１０  レリーズボタン
１１１  メインスイッチ
１１２  モード設定ダイアル
１１３  ジョグダイアル（十字キー）
１１４  決定スイッチ
１１５  背面モニタ設定スイッチ
１１６  ズームスイッチ
１２０  電源部
１２１  電子ビューファインダ（ＥＶＦ）
１２５  外部インターフェース（Ｉ／Ｆ）
１３１  背面モニタ
１３２  表示制御部
１３３  ＯＳＤ生成部
１３４  画像生成部
１３５  ＮＴＳＣ出力部
１５０  撮像部
１５１  画処理部
１５２  撮像素子制御部
１５３  撮像素子
１５４  記録部
１５５  画像メモリ
１５６  メモリカード
１６０  メイン基板
１６７  フラッシュ
１７１  手ブレ検出部
１８０  手ブレ補正手段
１８１  基準台板
１８２  Ｈ台板
１８３  Ｖ台板
１８５  Ｈアクチュエータ
１８６  Ｖアクチュエータ
１８７  撮像基板
１９１  三脚穴
１９２  三脚センサ
２００  光軸
２１１  撮像光学系
２１２  光学系駆動部
２２１  絞り
２２２  絞り駆動部
【図１】
2006258882.tif 000003
【図２】
2006258882.tif 000004
【図３】
2006258882.tif 000005
【図４】
2006258882.tif 000006
【図５】
2006258882.tif 000007
【図６】
2006258882.tif 000008
【図７】
2006258882.tif 000009
【図８】
2006258882.tif 000010
【図９】
2006258882.tif 000011
【図１０】
2006258882.tif 000012